(57)【要約】【課題】コンパクト、軽量であって、用途に応じて照射範囲を容易に変えられる、使い勝手のよい照明スタンドを提供する。【解決手段】外部電源あるいは内蔵バッテリーから供給される電力を、適正な印加電力に変換可能な電力変換部を内蔵したベース板１２と柱状部１３とからなる基台１１と、その照射方向を変更可能なアーム部１４の先端に支持され、パネル放熱部１６に沿って保持された、電力変換部からの供給電力により調光制御可能に発光する有機ＥＬパネル２０からなる発光部２１を備える。【選択図】図１
2011018483.tif 000002
【特許請求の範囲】
【請求項１】
電力変換部を内蔵した基台と、その照射方向を変更可能な前記基台に支持され、前記電力変換部からの供給電力により発光可能な有機ＥＬ発光部と、
を備えたことを特徴とする照明スタンド。
【請求項２】
前記基台は、その一部に前記有機ＥＬ発光部を支持するとともに、該有機ＥＬ発光部の照射方向を変更可能なアーム部を有する請求項１に記載の照明スタンド。
【請求項３】
前記基台に前記有機ＥＬ発光部の調光手段を設けた請求項１または請求項２に記載の照明スタンド。
【請求項４】
前記有機ＥＬ発光部は、放熱板に沿って保持され、前記アーム部の先端に支持されたことを特徴とする請求項１に記載の照明スタンド。
【請求項５】
前記電力変換部への供給電源として、外部電源あるいは内蔵バッテリーを備えたことを特徴とする請求項１乃至請求項４のいずれか１項に記載の照明スタンド。
【請求項６】
前記基台は机上に載置され、あるいは把持手段を介して固定部に固定されることを特徴とする請求項１に記載の照明スタンド。
【発明の詳細な説明】
【技術分野】
【０００１】
本発明は照明スタンドに係り、コンパクト、軽量であって、用途に応じて照射範囲を容易に変えられる、使い勝手のよい照明スタンドに関する。
【背景技術】
【０００２】
従来、蛍光灯あるいは白熱電球などの光源を用いたスタンド形照明器具（以下、照明スタンドと記す。）が提供されている。この種の照明スタンドは、一般的に、光源がベース板と柱状部とからなる基台の上端に連結された屈曲可能なアームに支持され、光源の向きをアームの角度調整で行える形状からなる。光源としては、アーム先端に支持された反射傘と、反射傘内に設けられたランプソケットに電球が取り付けられている。
【０００３】
この種の構成の照明スタンドでは、光源として用いる各種の蛍光灯や白熱電球が明るさに応じて所定の大きさを有しており、また、蛍光灯や白熱電球を保持するためにアームや基台の剛性をある程度高くする必要がある。さらに、蛍光灯や白熱電球などが発光する際に発熱するため、放熱を考慮して、周囲に所定の空間を確保して反射傘の形状、寸法を設定する必要がある。このため、照明スタンドの小型化、軽量化には限界があった。そのため、広い設置スペースを確保する必要があり、照明スタンドを容易に持ち運ぶことができなかった。
【０００４】
ところで、近年、有機ＥＬ（エレクトロ・ルミネッセンス）を面光源として利用した照明装置、照明器具が開発されている（特許文献１，特許文献２）。特許文献１に開示された照明は、有機ＥＬを円柱状に加工し、複数本を並列させて、全体で面発光させる電飾看板に用いられるものである。特許文献２には、複数枚の面発光パネルを、点回動可能なボールジョイント部で連結した、天井吊り下げタイプの照明装置が開示されている。
【０００５】
これら特許文献に開示された発明では、有機ＥＬが広い面発光材として機能できる点、発光材料としてのシート状有機ＥＬを切断、曲げ加工できるという点に着目して、照明装置や電飾看板として用いている。
【先行技術文献】
【特許文献】
【０００６】
【特許文献１】特開２００６−０７２２７４号公報
【特許文献２】特開２００８−１８６５９９号公報
【発明の概要】
【発明が解決しようとする課題】
【０００７】
ところで、有機ＥＬを、卓上用等の照明スタンドとして利用するためには、特許文献１，特許文献２で使用された光源の仕様に比べて、読書や作業のために、手元での適正な演色性や、光量の調整が手元で容易に行える等の利便性が求められる。また、持ち運びが照明スタンドとして軽量であることも重要である。そのために、光源および光源を駆動する内蔵装置の小型化、軽量化を図ることが重要である。そこで、本発明の目的は上述した従来の技術が有する問題点を解消し、コンパクト、軽量であって、使用時には、用途に応じ、その照射範囲を容易に変えられる、使い勝手のよい照明スタンドを提供することにある。
【課題を解決するための手段】
【０００８】
上記目的を達成するために、本発明の照明スタンドは電力変換部を内蔵した基台と、その照射方向を変更可能な前記基台に支持され、前記電力変換部からの供給電力により発光可能な有機ＥＬ発光部とを備えたことを特徴とする。
【発明の効果】
【０００９】
本発明の照明スタンドによれば，有機ＥＬパネルを光源とし、放熱効果を有するパネル放熱部を設けることにより、発光部及び支持部を軽量化することができる。これにより、発光部の位置を容易に変更でき、照射範囲を容易に変更できる等の効果が得られる。
【図面の簡単な説明】
【００１０】
【図１】本発明の照明スタンド外観の一実施例を示した斜視図。
【図２】照明スタンドの有機ＥＬパネルの点灯回路構成を模式的に示したブロック図。
【図３】照明スタンドの有機ＥＬパネルの加工形状の一例を示した部分斜視図。
【発明を実施するための形態】
【００１１】
以下、本発明の照明スタンドの実施するための形態として、以下の実施例について添付図面を参照して説明する。
【実施例】
【００１２】
図１は、本発明の照明スタンドの全体を示した斜視図である。照明スタンド１０は、ベース板１２と柱状部１３と、柱状部１３の上端に屈曲可能に連結され、光源の向き（照射方向）を角度調整で行えるアーム部１４とから構成される基台１１と、この基台１１に支持された有機ＥＬパネル２０を主構成部品とした発光部２１とからなる。アーム部１４の先端には有機ＥＬパネル２０を支持するとともに、電気的接続を果たすパネル接続部１５が設けられている。このパネル接続部１５に、有機ＥＬパネル２０とパネル放熱部１６の一端が固着保持されている。パネル放熱部１６は、有機ＥＬパネル２０を裏面側から防護するとともに、通電時の有機ＥＬパネル２０の放熱を促進する。一方、有機ＥＬパネル２０及びパネル放熱部１６の先端側には、長方形板状のパネルカバー１７が装着されている。このパネルカバー１７は、有機ＥＬパネル２０及びパネル放熱部１６の先端側を支持する役割を果たすとともに、パネル放熱部１６とともに、照明スタンド１０の意匠性を高める役割を果たす。たとえば、パネル放熱部１６には複数本の細長状スリットを形成し、放熱効果を高めることもできる。なお、意匠上の要請により、上述した基台１１は、柱状部１３を設けずに、ベース板１２にリンク機構等のアーム部１４を直接連結して、そのアーム部１４の上端に発光部２１を支持させることもできる。
【００１３】
ベース板１２の表面にはスイッチ３のつまみが設けられている。本実施例ではスイッチ３として、照明電源の入切切替と無段階調光を行えるロータリースイッチが用いられている。スイッチの種類としては、入切切替のみ、多段階調光などの機能を有する各種スイッチを用いることができる。スイッチ機構もロータリースイッチの他、スライドスイッチ、タッチスイッチなど、照明スタンド１０の外観意匠に合わせた選択が可能である。また、本実施例では、赤外線方式のリモコン６を備えた照明スタンド１０の例を示している。このリモコン６の受光部７がスタンドの柱状部１３に設けられている。
【００１４】
本実施例では、光源としての有機ＥＬパネル２０には、平面寸法１００×１００mmの薄形パネルが使用されているが、従来型の照明スタンド１０に用いられている、たとえば１３Ｗあるいは１８Ｗ程度のコンパクト蛍光ランプに相当する光量を得ることができる。このように、有機ＥＬパネル２０を照明光源として利用することにより、照明スタンド１０の光源部分を大幅に小型にできるので、光源部分とアームを支持し、安定を保つための基台もコンパクトにすることができる。したがって、従来の卓上電気スタンドに代わる新製品として開発する場合には、有機ＥＬパネル２０の面発光材の寸法は、１００×２００mm程度が好適であり、有機ＥＬパネル２０の発光材料をリン光材料などに適宜選定することで、演色性、色温度ともに、卓上用照明として適した省エネルギータイプの照明とすることができる。
【００１５】
図２各図は、本発明の有機ＥＬパネル２０を用いた照明スタンド１０の概略構成と、有機ＥＬパネル２０照明の動作回路を模式的に示したブロック回路図である。図２（ａ）において、ベース板１２内には、外部の交流電源２からの電力供給を受け、動作する電力変換部５が設けられている。電力変換部５には、スイッチ３（点灯スイッチ３Ａ、調光スイッチ３Ｂ）の信号線が接続され、発光部２１としての有機ＥＬパネル２０に、所定の光量に応じた電力が供給される。すなわち、この電力変換部５では、調光スイッチ３Ｂの調節により、定格の供給電力が有機ＥＬパネル２０を点灯するのに適する電圧，電流に調整され、有機ＥＬパネル２０に出力される。なお、図２（ａ）では、構成の説明の関係で、点灯スイッチ３Ａと調光スイッチ３Ｂとは別個部品として示されているが、点灯、調光を１個の切替動作で行うことができるマルチ機能のスイッチ３を使用することが好ましい。
【００１６】
以下、実施例の動作について、図２（ａ）を参照して簡単に説明する。スイッチ３（３Ａ，３Ｂ）がＯＮ操作されると、外部電源に通電された状態の電力変換部５から有機ＥＬパネル２０を点灯するのに適する電圧、電流が出力され、電気的に接続された有機ＥＬパネル２０が印加され、有機ＥＬパネル２０が即点灯する。スイッチ３の有する調光操作を行った場合には、その操作に応じて電力変換部５が動作し、有機ＥＬパネル２０に供給される電圧、電流が変化し、有機ＥＬパネル２０を所望の調光点灯状態にすることができる。
【００１７】
有機ＥＬパネル２０の点灯により、有機ＥＬパネル２０は微発熱する。有機ＥＬパネル２０の長寿命化のために、この発熱を発散するパネル放熱部１６が設けられている。その材質として、例えばアルミニウム加工材にして、所定の強度を保持するとともに、放熱効果のスリットを設ける等の形状とすることにより、放熱効果を促進できる。
【００１８】
図２（ｂ）は基台内にバッテリー８を内蔵した照明スタンド１０の例を示した部分ブロック回路図である。バッテリー８としてはＤＣ７．２Ｖ程度あるいはＤＣ４Ｖ程度からＤＣ１５Ｖ程度の、充電可能な小型のニカド電池、ニッケル水素電池、リチウムイオン二次電池、リチウムイオンポリマー二次電池等が好適である。
【００１９】
図３は、有機ＥＬパネル２０の加工容易性に着目して、有機ＥＬパネル２０の形状を曲面状にした変形例を示した模式図である。同図に示したように、有機ＥＬパネル２０の照明部分を凸曲面にすることで有機ＥＬパネル２０発光時の照射範囲を広範囲に広げることができ、広い照射面に対してほぼ均一な照度を確保することができる。その際、パネル接続部１５、パネル放熱部１６、パネルカバー１７は、それぞれ曲面形状の有機ＥＬパネル２０部分にマッチした意匠とすることが好ましい。
【００２０】
また、図１に示したように、基台１１に設けたスイッチ３と併用可能なリモコン６の使用が可能であり、図１に示したように、柱状部に設けられた赤外線センサのような受光部７を設けておき，リモコン信号により所望の点灯状態に切替えてもよい。
【００２１】
なお、以上の説明では、卓上用の照明スタンド１０を例として説明したが、グリップ部を有し、グリップ部で対象固定部を把持させて使用するような、全体が屈曲可能なリンク機構のアームからなる支持部の一部に電力変換部５等の回路部を組み込んだ照明スタンド１０等も好ましい。
【００２２】
このように、本発明は上述した実施例に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００２３】
３  スイッチ
３Ａ  点灯スイッチ
３Ｂ  調光スイッチ
６  リモコン
１０  照明スタンド
１２  ベース板
１３  柱状部
１４  アーム部
１５  パネル接続部
１６  パネル放熱部
１７  パネルカバー
２０  有機ＥＬパネル
２１  発光部
【図１】
2011018483.tif 000003
【図２】
2011018483.tif 000004
【図３】
2011018483.tif 000005